(57)【要約】【課題】踏板と踏板下方の桁とを踏板受具を取付けてなるオープン階段において、踏板の照明手段に接続した配線を配線用の通路を介して桁側配線溝部に導出できる照明付階段を提供する。【解決手段】踏板２の前部の中央部の下面に照明手段を設ける。踏板２の下面に踏板側配線溝部１８を形成する。桁１の上面に桁１の長手方向に伸びる桁側配線溝部７を形成する。踏板側配線溝部１８を、踏板２の照明手段近傍の前部から後方に向かって伸びる前側溝部１８ａと、前側溝部１８ａの後端部から外側方に向かって伸びる後側溝部１８ｂとで構成する。前側溝部１８ａから外側方に伸びる後側溝部１８ｂを踏板受具５の上方を通過して踏板受具５よりも外側方に至る位置まで形成する。後側溝部１８ｂの前側溝部１８ａと反対側の端部に桁側配線溝部７に対向する導出口１７を形成する。【選択図】        図１
2008106551.tif 000002
【特許請求の範囲】
【請求項１】
踏板の側部の下面に踏板受具を取付け、該踏板受具を踏板の下方に配置した桁の側面に固着するものにおいて、踏板の前部の中央部の下面に照明手段を設け、該踏板の下面に踏板側配線溝部を形成すると共に、桁の上面に桁の長手方向に伸びる桁側配線溝部を形成し、前記踏板側配線溝部を、踏板の照明手段近傍の前部から後方に向かって伸びる前側溝部と、前側溝部の後端部から外側方に向かって伸びる後側溝部とで構成し、前記前側溝部から外側方に伸びる後側溝部を踏板受具の上方を通過して踏板受具よりも外側方に至る位置まで形成し、該後側溝部の前側溝部と反対側の端部に桁側配線溝部に対向する導出口を形成して成ることを特徴とする照明付階段。
【発明の詳細な説明】
【技術分野】
【０００１】
本発明は踏板の前部の下面に照明手段を設けた照明付階段に関する。
【背景技術】
【０００２】
従来から例えば図１９に示すように各踏板２の前部の下面に照明手段３５を設けた照明付階段が利用されており、このものは照明手段３５で下段の踏板２を照らすことで階段の昇り降りの際の安全性を高めるなどできる（例えば特許文献１）。
【０００３】
ところで上記各段の踏板２に設けた照明手段３５は下階や上階に設けたコントローラやスイッチに配線３６で接続する必要がある。特許文献１に示す照明付階段では、踏板２の下面の照明手段３５近傍から該踏板２の側端面が接する側板３３に亘る配線用ダクト３４を設け、この配線用ダクト３４に照明手段３５の配線３６を通して下階や上階のコントローラ等に接続してある。
【０００４】
ここで上記配線用ダクト３４は以下に示すように形成される。踏板２の照明手段３５近傍の前部の下面に左右方向に伸びる踏板側ダクト３４ａを設け、該踏板側ダクト３４ａは踏板２の側端部に至っている。また側板３３の側面には側板３３の長手方向に沿って側板側ダクト３４ｂを設けている。側板側ダクト３４ｂの長手方向の任意の箇所は同じく側板３３の側面に設けた連通用ダクト３４ｃを介して踏板側ダクト３４ａの端部に接続してあり、これにより配線用ダクト３４が形成される。
【０００５】
しかし上記図１９に示す照明付階段は側板側ダクト３４ｂ及び連通用ダクト３４ｃを側板３３から突出して設けてあるので、これらダクト３４ｂ、３４ｃが側板３３の外観を損ねる。また連通用ダクト３４ｃを踏板２の下面に沿って設け、これを側板側ダクト３４ｂに接続する必要があって施工が面倒である。
【特許文献１】特開２０００−３０３６４４号公報
【発明の開示】
【発明が解決しようとする課題】
【０００６】
本発明は上記従来の問題点に鑑みて発明したものであって、踏板の側部の下面に踏板受具を取付け、踏板受具を踏板の下方に配置した桁の側面に固着するオープン階段において、踏板の照明手段に接続した配線を配線用の溝部を介して桁側配線溝部に導出でき、しかも桁には上面に桁側配線溝部を形成するだけで良くて、施工作業が簡単で且つ桁の外観を向上できる照明付階段を提供することを課題とする。
【課題を解決するための手段】
【０００７】
上記課題を解決するために本発明に係る照明付階段は、踏板２の側部の下面に踏板受具５を取付け、該踏板受具５を踏板２の下方に配置した桁１の側面に固着するものにおいて、踏板２の前部の中央部の下面に照明手段を設け、該踏板２の下面に踏板側配線溝部１８を形成すると共に、桁１の上面に桁１の長手方向に伸びる桁側配線溝部７を形成し、前記踏板側配線溝部１８を、踏板２の照明手段近傍の前部から後方に向かって伸びる前側溝部１８ａと、前側溝部１８ａの後端部から外側方に向かって伸びる後側溝部１８ｂとで構成し、前記前側溝部１８ａから外側方に伸びる後側溝部１８ｂを踏板受具５の上方を通過して踏板受具５よりも外側方に至る位置まで形成し、後側溝部１８ｂの前側溝部１８ａと反対側の端部に桁側配線溝部７に対向する導出口１７を形成して成ることを特徴とする。
【０００８】
上記のように踏板２の下面に踏板側配線溝部１８を形成すると共に、桁１の上面に桁１の長手方向に伸びる桁側配線溝部７を形成し、踏板側配線溝部１８を、踏板２の照明手段近傍の前部から後方に向かって伸びる前側溝部１８ａと、前側溝部１８ａの後端部から外側方に向かって伸びる後側溝部１８ｂとで構成し、前側溝部１８ａから外側方に伸びる後側溝部１８ｂを踏板受具５の上方を通過して踏板受具５よりも外側方に至る位置まで形成し、後側溝部１８ｂの前側溝部１８ａと反対側の端部に桁側配線溝部７に対向する導出口１７を形成したことで、踏板２の側部の下面に踏板受具５を取付け、踏板受具５を踏板２の下方に配置した桁１の側面に固着するオープン階段において、照明手段に接続した配線６を踏板側配線溝部１８の前側溝部１８ａ、後側溝部１８ｂに順に通して該後側溝部１８ｂの前側溝部１８ａと反対側の端部開口から桁側配線溝部７に導出することができる。しかもこの場合、桁１には配線６用の溝として上面に桁１の長手方向に伸びる直線状の桁側配線溝部７を形成するだけで良い。
【発明の効果】
【０００９】
本発明では、踏板の側部の下面に踏板受具を取付け、踏板受具を踏板の下方に配置した桁の側面に固着するオープン階段において、照明手段に接続した配線を踏板側配線溝部に通して導出口から桁側配線溝部に導出できる。しかもこの場合、桁には配線用の溝として上面に桁の長手方向に伸びる直線状の桁側配線溝部を形成するだけで良く、施工作業が容易になり、また桁の側面をシンプルな外観とすることができる。
【発明を実施するための最良の形態】
【００１０】
以下、本発明を添付図面に示す実施形態に基づいて説明する。なお以下では階段を登る人から見て手前側を前側、奥側を後側として説明する。
【００１１】
本例の照明付階段は、図１に示すように建物に設置した桁１に複数の踏板２をその側端部（長手方向の端部）が桁１よりも外側方に突出するように踏板受具５で取付け、各踏板２の下面の前部中央部に照明ユニット３からなる照明手段を設けて構成したものであり、蹴込板が無く桁１の両側が露出したオープン階段である。
【００１２】
踏板２の下方に位置することとなる桁１は図３に示すように階段の傾斜方向に沿って長い板状に形成してあり、側面同士が対向するように一対並べて建物に設置してある。なお各桁１の下端は例えば図４に示すように下階の床１２に接続され、また上端は例えば上階の梁や柱に接続される。図３に示すように各桁１の踏板２中央側の側面、即ち内側の側面には踏板受具５を嵌め込むための上方に開口する嵌込凹所４を長手方向に複数形成している。各嵌込凹所４は傾斜した桁１の上面から下方に伸び、その後面は垂直な面となっているが、前面は上側程前方に位置するように傾斜した傾斜面となっている。また図１に示すように照明ユニット３の配線６が通ることとなる一方の桁１の上面の中央部には、桁１側の配線６用の通路として、桁１の長手方向に伸びる断面コ字状の桁側配線溝部７を形成してあり、該桁側配線溝部７は桁１の長手方向の全長に亘って一直線状に形成してある。
【００１３】
上記桁１に取付けられる踏板２は図５に示すように左右方向に長い平面視略長方形板状をしている。踏板２の下面の前部の中央部には収納凹部８を形成してあり、この収納凹部８には図１２に示すように発光体としてＬＥＤを備えた照明ユニット３を収納して螺子１０で固着してある。
【００１４】
図５に示すように上記踏板２の下面には収納溝９を形成している。収納溝９は、踏板２の照明ユニット３近傍の前部から後方に向かって伸びる前側収納溝９ａと、前側収納溝９ａの後端部から外側方に向かって伸びる後側収納凹所９ｂとで構成してある。
【００１５】
前側収納溝９ａは断面コ字状の直線状の溝であり、前端部は収納凹部８に連通し、後端部は踏板２の後端部にまで至っている。後側収納凹所９ｂは踏板２の下面後端部を一段高くして形成した下方及び後方に開口する段部により構成している。後側収納凹所９ｂは長手方向の中間部を前側収納溝９ａの後端部に連通接続してあり、また長手方向の両端部は踏板２の側端面と前側収納溝９ａの中間に位置している。
【００１６】
上記収納溝９の前側収納溝９ａ及び後側収納凹所９ｂの夫々には図６に示すように下方に開口する断面コ字状の長尺なカバーベース１５ａ、１５ｂが収納され、複数の螺子１０により取付けられる。各カバーベース１５ａ、１５ｂは長尺で断面コ字状のカバーベース材を所定寸法に切断して形成され、前側収納溝９ａ及び後側収納凹所９ｂの夫々の全長に亘って設けられる。これにより踏板２の下面には、前側収納溝９ａ及びこれに収納したカバーベース１５ａからなる前側溝部１８ａと、後側収納凹所９及びこれに収納したカバーベース１５ｂからなる後側溝部１８ｂで構成した平面視Ｔ字状の踏板側配線溝部１８が形成されることとなる。即ち本例の後側溝部１８ｂは前側溝部１８ａの後端部から両側の外側方に向けて伸びるものとなっている。
【００１７】
ここで図７に示すように後側収納凹所９ｂに収納されるカバーベース１５ｂにおいて前側収納溝９ａに収納されるカバーベース１５ａの端部に対向する部分は切欠かれ、この切欠１１を介してカバーベース１５ａ内の空間とカバーベース１５ｂ内の空間が連通している。また図８に示すように断面コ字状のカバーベース１５ｂにおいて配線６を通すこととなる桁１側の長手方向の端部の後面部は切欠かれており、この後方に開口する切欠で導出口１７を構成している。
【００１８】
なお本例の踏板２では後側収納凹所９ｂとカバーベース１５ｂで構成した後側溝部１８ｂを前側収納溝９ａとカバーベース１５ａで構成した前側溝部１８ａの後端部から両側の外側方に向かって伸びるように形成して、左右両側のいずれの桁１に配線６を通す場合にも対応できるようにしてあるが、後側溝部１８ｂは片側の外側方のみに向かって伸びるように形成しても良い。
【００１９】
ここで図９示すように照明ユニット３には配線６として２本の配線コード６ａ、６ｂを接続してある。２本の配線コード６ａ、６ｂのうち一方の配線コード６ａの端部には雌型のコネクタ２０ａを設け、他方の配線コード６ｂの端部には雄型のコネクタ２０ｂを設けている。配線コード６ａのコネクタ２０ａは上段の踏板２の照明ユニット３に接続された配線コード６ｂのコネクタ２０ｂに接続できるようになっており、つまり本例の照明ユニット３は各踏板２の照明ユニット３が配線６により数珠繋ぎで接続されるものである。
【００２０】
上記各踏板２の照明ユニット３に接続した配線コード６ａ、６ｂは、前側溝部１８ａを構成するカバーベース１５ａ内と後側溝部１８ｂを構成するカバーベース１５ｂ内に順に通された後、後側溝部１８ｂの前側溝部１８ａと反対側の端部に設けた導出口１７から踏板２の後方に向けて引き出される。
【００２１】
上記踏板側配線溝部１８を構成するカバーベース１５ａ、１５ｂに収納された２本の配線コード６ａ、６ｂは図９に示すように配線カバー１９ａ、１９ｂによって覆われる。配線カバー１９ａ、１９ｂは前側溝部１８ａを構成するカバーベース１５ａ及び後側溝部１８ｂを構成するカバーベース１５ｂの夫々に取付けられる。各配線カバー１９ａ、１９ｂは合成樹脂製で長尺なカバー材を対応するカバーベース１５ａ、１５ｂと同じ長さ寸法に切断して形成される。カバー材は各カバーベース１５ａ、１５ｂの下開口を閉塞する覆い部２２と覆い部２２の両側から突出した嵌込片２３とで構成され、このカバー材を切断して形成した各配線カバー１９ａ、１９ｂは両側の嵌込片２３を図１３に示すようにカバーベース１５ａ、１５ｂの内側に嵌め込むことで覆い部２２の外面が踏板２の下面と略面一となるように各カバーベース１５ａ、１５ｂに取付けられる。なおカバーベース１５ｂの後面も踏板２の後端面と略面一とされる。また図１０や図１１に示すように配線カバー１９ｂの長手方向の端部や配線カバー１９ａに対向する部分における嵌込片２３の前記カバーベース１５ｂの導出口１７に対応する部分は切欠かれる。
【００２２】
上記各踏板２を桁１に取付けるには図１４や図１５に示す踏板受具５を用いる。踏板受具５は金属板を正面視Ｌ字状に折り曲げて形成してあり、踏板２の前側溝部１８ａを挟む両側部の夫々に螺子１０により取付けられる。踏板受具５の略矩形状に形成した横板部５ａは踏板２の下面に沿って取付けられる踏板側固定部となる。また縦板部５ｂは桁１の側面に沿って取付けられる桁側固定部となり、該縦板部５ｂの後部は嵌込凹所４と合致する形状となった嵌込部２６となっている。また縦板部５ｂの嵌込部２６及び横板部５ａの夫々には固着用の螺子１０を挿通するための孔２４を複数形成している。
【００２３】
踏板受具５の踏板２に対する取付位置は、図１４に示すように踏板受具５の後端が前後方向において踏板２の後端面と略一致し、且つ踏板受具５の後端部が踏板２の後側溝部１８ｂと重複し、且つ踏板２の後側溝部１８ｂの前側溝部１８ａと反対側の端部が踏板受具５の側端から下方に突出した縦板部５ｂよりも外側方に位置する位置である。即ち前記踏板２の前側溝部１８ａから外側方に伸びる後側溝部１８ｂは、踏板２に踏板受具５を取付けた状態で踏板受具５の上方を通過して踏板受具５よりも外側方に至る位置まで形成してあり、これにより後側溝部１８ｂの前側溝部１８ａと反対側の端部に設けた導出口１７は踏板受具５の外側方の位置で開口することとなる。
【００２４】
上記各踏板２を桁１に取付けるには、桁１に取付ける前の踏板２に既述のように照明ユニット３を取付けると共に配線コード６ａ、６ｂを踏板側配線溝部１８の前側溝部１８ａ及び後側溝部１８ｂの夫々に収納してこれを配線カバー１９ａ、１９ｂで覆い、該配線コード６ａ、６ｂを踏板２の導出口１７から引き出した状態で、踏板２と桁１とを踏板受具５で取付ける。
【００２５】
踏板受具５で踏板２と桁１を取付けるには、図１４に示すように踏板受具５の横板部５ａを踏板２の下面に沿わせて該横板部５ａを孔２４に挿通した螺子１０により踏板２に固着すると共に、図１６に示すように踏板受具５の縦板部５ｂの嵌込部２６を桁１の嵌込凹所４に上方から嵌め込んで該縦板部５ｂを孔２４に挿通した螺子１０により桁１に固着する。なお踏板２を踏板受具５で桁１に取付けるにあたって、踏板受具５を先に桁１に取付けても良いし、先に踏板２に取付けても良い。
【００２６】
このように踏板２を桁１に取付けた状態では、各踏板２の後側溝部１８ｂの長手方向の端部に設けた後方に開口する導出口１７が桁１の傾斜した上面に設けた桁側配線溝部７に対向するようになっている。従ってこのように踏板２を桁１に取付けるだけで、前側溝部１８ａの前端から後側溝部１８ｂ及び導出口１７を経て桁側配線溝部７に通じる配線６用の通路が形成されることとなる。
【００２７】
そして各踏板２から引き出された照明ユニット３の配線コード６ａ、６ｂを上段の踏板２の照明ユニット３の配線コード６ｂや下段の踏板２の照明ユニット３の配線コード６ａにコネクタ２０ａ、２０ｂを介して接続し、次に各照明ユニット３の踏板２から引き出された配線コード６ａ、６ｂを端部のコネクタ２０ａ、２０ｂも含めて桁１の桁側配線溝部７内に収納し、この後、図１７に示すように桁側配線溝部７に配線カバー２７を取付けることで桁側配線溝部７内の配線コード６ａ、６ｂを隠す。
【００２８】
上記のように各踏板２の後側溝部１８ｂの長手方向の端部の導出口１７から引き出された配線コード６ａ、６ｂを桁側配線溝部７に収納することで、各踏板２の照明ユニット３に接続した２本の配線コード６ａ、６ｂを踏板側配線溝部１８の前側溝部１８ａ、後側溝部１８ｂ、桁側配線溝部７とからなる通路に収納でき、これら前側溝部１８ａ、後側溝部１８ｂ、桁側配線溝部７に順に通した配線コード６ａ、６ｂは配線カバー１９ａ、１９ｂ、２４によって覆い隠されることとなる。
【００２９】
ここで桁１の桁側配線溝部７の長手方向の一部は桁１の前方に配置した踏板２によって覆われるので、配線カバー２７は桁側配線溝部７の全長に亘って設けることができない。従って配線カバー２７は桁側配線溝部７において踏板２の後端面に対向する部分を除く部分に設けてある。これら配線カバー２７は踏板２側の配線カバー１９ａ、１９ｂと同様に長尺なカバー材を所定の長さ寸法に切断して形成される。カバー材は踏板２側のカバー材と同様に桁側配線溝部７の上方の開口を閉塞する覆い部２９と覆い部２９の両側から突出した嵌込片１４とで構成され、このカバー材から形成された各配線カバー２７は図１８に示すように両側の嵌込片１４を桁側配線溝部７の内側に嵌め込むことで覆い部２９の外面が桁１の側面と略面一となるように取付けられる。
【００３０】
また最も上段又は下段の踏板２に設けた照明ユニット３は図１に示すように桁側配線溝部７や、床１２下、壁２５裏と順に通した配線６により上階又は下階の壁２５に設けたコントローラ３２に接続されるものであり、これにより前記コントローラ３２に接続した上階又は下階のスイッチ１３を操作することで前記各照明ユニット３の点灯状態が変更できるようになっている。なお図４では下階の床１２の桁側配線溝部７に対向する位置には孔３１を設けてあり、この孔３１を介して桁側配線溝部７内の配線６を床１２下に導出するようにしている。また上記スイッチ１３としては熱線センサ等の人体検知手段により人体を検知して自動的に照明ユニット３の点灯状態を変更する機能を有するものであっても良いものとする。
【００３１】
ところで踏板受具５を桁１の内側の側面（踏板２中央側の側面）に設けたのは、踏板受具５を外観上目立たないようにするためにであるが、このような踏板受具５は踏板２の下面や桁１の内側の側面に取付けられるものであるため、配線６用のダクトを形成するのに邪魔になるという問題がある。
【００３２】
しかし本発明の照明付階段では、既述のように踏板２の下面に踏板側配線溝部１８を形成すると共に、桁１の上面に桁１の長手方向に伸びる桁側配線溝部７を形成し、踏板側配線溝部１８を、踏板２の照明手段近傍の前部から後方に向かって伸びる前側溝部１８ａと、前側溝部１８ａの後端部から外側方に向かって伸びる後側溝部１８ｂとで構成し、前側溝部１８ａから外側方に伸びる後側溝部１８ｂを踏板受具５の上方を通過して踏板受具５よりも外側方に至る位置まで形成し、後側溝部１８ｂの前側溝部１８ａと反対側の端部に桁側配線溝部７に対向する導出口１７を形成したので、既述のオープン階段、即ち踏板２の側部の下面に踏板受具５を取付け、踏板受具５を踏板２の下方に配置した桁１の側面に固着するオープン階段において、照明手段に接続した配線６を踏板側配線溝部１８の前側溝部１８ａ、後側溝部１８ｂと順に通して導出口１７から桁側配線溝部７に導出することができるのである。しかもこの場合、桁１には配線６用の溝として上面に桁１の長手方向に伸びる直線状の桁側配線溝部７を形成するだけで良く、施工作業が容易になり、また桁１の側面を配線６用の通路のないシンプルな外観とすることができる。
【００３３】
なお本例では踏板側配線溝部１８の後側溝部１８ｂの端部に設けた導出口７を後方に開口するものとしたが、例えば配線カバー１９ｂの長手方向の端部、即ち踏板受具５よりも外側方に位置する部分を切り欠いて下方に開口する導出口７を形成しても良いし、またカバーベース１５ａの長手方向の端部及び配線カバー１９ｂの長手方向の端部の両者を切り欠いて後方及び下方に開口する導出口７を形成しても良いものとする。
【００３４】
また踏板側配線溝部１８を覆う配線カバー１９ａ、１９ｂの覆い部２２の外面は、踏板２と同色にしたり、踏板２と同様の木目調模様を有するものとすることが好ましく、この場合は、配線カバー１９ａ、１９ｂが目立たない。また同様に桁側配線溝部７を覆う配線カバー２７の覆い部２９の外面も桁１と同色としたり、桁１と同様の木目調模様を有するものとすることも好ましい。
【図面の簡単な説明】
【００３５】
【図１】本発明の実施の形態の一例を示し、照明付階段の斜視図である。
【図２】同上の側面図である。
【図３】同上の桁の側面図である。
【図４】設置前の桁を示す斜視図である。
【図５】踏板の下面図である。
【図６】同上の踏板とカバーベースを示す分解斜視図である。
【図７】図６のカバーベース１５ｂのＢ部を拡大した斜視図である。
【図８】図６のカバーベース１５ｂのＣ部を拡大した斜視図である。
【図９】同上の配線カバーを踏板に取付ける前の状態を示す斜視図である。
【図１０】同上の配線カバー１９ｂのＤ部を上側から見た斜視図である。
【図１１】同上の配線カバー１９ｂのＥ部を上側から見た斜視図である。
【図１２】同上の照明ユニットを踏板に取付ける前の状態を示す斜視図である。
【図１３】踏板のカバーベースに配線カバーを取付けた状態を示す断面図である。
【図１４】同上の踏板に踏板受具を沿わせた状態を示す下面側から見た斜視図である。
【図１５】同上の踏板受具を桁に沿わせた状態を示す下面側から見た斜視図である。
【図１６】同上の踏板を桁に取付ける前の状態を示す斜視図である。
【図１７】同上の桁に配線カバーを取付ける前の状態を示す斜視図である。
【図１８】図３のＡ−Ａ′断面図である。
【図１９】従来の照明付階段の側面図である。
【符号の説明】
【００３６】
１  桁
２  踏板
５  踏板受具
７  桁側側配線溝部
１８  踏板側配線溝部
１８ａ  前側溝部
１８ｂ  後側溝部
１７  導出口
【図１】
2008106551.tif 000003
【図２】
2008106551.tif 000004
【図３】
2008106551.tif 000005
【図４】
2008106551.tif 000006
【図５】
2008106551.tif 000007
【図６】
2008106551.tif 000008
【図７】
2008106551.tif 000009
【図８】
2008106551.tif 000010
【図９】
2008106551.tif 000011
【図１０】
2008106551.tif 000012
【図１１】
2008106551.tif 000013
【図１２】
2008106551.tif 000014
【図１３】
2008106551.tif 000015
【図１４】
2008106551.tif 000016
【図１５】
2008106551.tif 000017
【図１６】
2008106551.tif 000018
【図１７】
2008106551.tif 000019
【図１８】
2008106551.tif 000020
【図１９】
2008106551.tif 000021